(57)【要約】【課題】表面積を増大させるための凹凸を形成した複数の木製板材を組合せた放香筒によって、下端部の水浸漬部分から花瓶内の水を吸い上げて香等の発散を促進する放香用花器を提供する。【解決手段】少なくとも片面に表面積を増大させるための凹凸を形成した複数の木製板材１を筒状に組合せた放香筒２を形成し、内部に花類を挿入する放香筒２の下端部を水に浸漬させるように水を収容する外花瓶３とからなる放香用花器とした。  また凹凸を形成した複数の木製板材１を筒状に組合せ下端部に底部材４を設け、内部に水を収容する放香筒２からなる放香用花器とした。【選択図】図１
2007306985.tif 000002
【特許請求の範囲】
【請求項１】
少なくとも片面に表面積を増大させるための凹凸を形成した複数の木製板材（１）を筒状に組合せた放香筒（２）を形成し、内部に花類を挿入する放香筒（２）の下端部を水に浸漬させるように水を収容する外花瓶（３）とからなる放香用花器。
【請求項２】
少なくとも片面に表面積を増大させるための凹凸を形成した複数の木製板材（１）を筒状に組合せ下端部に底部材（４）を設け、内部に水を収容する放香筒（２）からなる放香用花器。
【請求項３】
放香筒（２）の内部に花類を差す内花瓶（３）を設けた請求項１又は２の放香用花器。
【請求項４】
木製板材（１）の繊維方向と放香筒（２）の軸方向とを略同方向とした請求項１又は２又は３の放香用花器。
【請求項５】
凹凸が木製板材（１）の繊維方向に形成された複数の凹溝（５）と凸部（６）である請求項１又は２又は３又は４の放香用花器。
【請求項６】
凹凸を放香筒（２）の内面に形成した請求項１又は２又は３又は４又は５の放香用花器。
【請求項７】
凹凸を放香筒（２）の水浸漬部分より上方に形成した請求項１又は２又は３又は４又は５又は６の放香用花器。
【発明の詳細な説明】
【技術分野】
【０００１】
本発明は、複数の凹溝を形成した木製板材を水に浸漬させる放香用花器に関する。
【背景技術】
【０００２】
一般に、草木や花等（以下単に花類と言う）を活けたり栽培育成するための、土やプラスチック材によって鉢状に製作された花器は、その外周に木製板材や木片を装着して囲うことにより、木材が有する自然感や素材の特性を提供する木製様花器として使用される。
また室内で使用される建具や家具等においては、桧や杉，楠木，ヒバ等を製材した板材に、表面側と裏面側から縦方向の凹溝を交互に刻設することにより、凹凸によって板の表面積を増大させ内部から木材の芳香を発散させる機能性パネルとし、例えば桧や杉等では精油成分に含まれる香によって、人に爽快感や自然感を与えると共にストレスを低減したり快眠を促すこと、及びダニや白蟻等の活力を奪ってその被害を抑制させることが知られている（例えば特許文献１）。
【特許文献１】特開２００４−１４９８号公報
【発明の開示】
【発明が解決しようとする課題】
【０００３】
上記のように既存の花器を木材で囲む木製様花器は、木質感を簡単に提供することができる利点はあるが、室内で使用し木の香等も同時に求めようとする場合に、素材内部からの放香作用を十分に発揮することができない欠点がある。
また上記欠点を補うために特許文献１に示される技術を利用し、木材の表面に凹溝の切削加工を行い凹凸を形成すると、表面積を増やし木の内部の香を発散させることができるが、この場合でもさらに深い内部の香を長期間にわたって持続的に発散させることができない問題がある。
【課題を解決するための手段】
【０００４】
上記課題を解決するために放香用花器は、第１に、少なくとも片面に表面積を増大させるための凹凸を形成した複数の木製板材１を筒状に組合せた放香筒２を形成し、内部に花類を挿入する放香筒２の下端部を水に浸漬させるように水を収容する外花瓶３とからなることを特徴としている。
【０００５】
第２に、少なくとも片面に表面積を増大させるための凹凸を形成した複数の木製板材１を筒状に組合せ下端部に底部材４を設け、内部に水を収容する放香筒２からなることを特徴としている。
【０００６】
第３に、放香筒２の内部に花類を差す内花瓶３ａを設けたことを特徴としている。
【０００７】
第４に、木製板材１の繊維方向と放香筒２の軸方向とを略同方向としたことを特徴としている。
【０００８】
第５に、凹凸が木製板材１の繊維方向に形成された複数の凹溝５と凸部６であることを特徴としている。
【０００９】
第６に、凹凸を放香筒２の内面に形成したことを特徴としている。
【００１０】
第７に、凹凸を放香筒２の水浸漬部分より上方に形成したことを特徴としている。
【発明の効果】
【００１１】
以上のように構成される本発明によれば、少なくとも片面に表面積を増大させるための凹凸を形成した複数の木製板材を筒状に組合せて放香筒を形成し、該放香筒の下端部を水を収容する外花瓶に浸漬した放香用花器にしたことにより、花類を挿入する所望形状の花器を放香筒によって簡単に製作することができ、また木製板材が外花瓶内の水を吸い上げるので、香等の発散を木の内部から持続的に行うことができる。
【００１２】
少なくとも片面に表面積を増大させるための凹凸を形成した複数の木製板材を筒状に組合せ下端部に底部材を設けた放香用花器にしたことにより、放香筒の内部に水を直接的に収容した花器にすることができると共に、放香筒が内部の水を吸い上げて木製板材が有する香等を持続的に発散することができる。
【００１３】
放香筒の内部に花類を差し入れる内花瓶を設けたことにより、内花瓶内の水と放香筒内の水との混合を防止し、木製板材の放香を持続させることができる。
【００１４】
木製板材の繊維方向と放香筒の軸方向とを略同方向としたことにより、水を繊維に沿って上方に高く吸い上げることができ、放香作用を増大することができる。
【００１５】
木製板材の繊維方向に複数の凹溝と凸部を設け凹凸を形成したことにより、繊維方向の表面積を増大し水の吸い上げ及び放香作用を増大することができる。また木製板材を繊維方向の凹溝によって板割れを防止して湾曲させて組合せることができるので、曲面を有する放香筒を簡単に製作することができる。
【００１６】
放香筒の表面側を平坦面とし内面に凹凸を形成したことにより、木目模様を放香筒の表面側に表して外観することができると共に、水の吸い上げによって木製板材を内面側から濡らすので、木目模様をより鮮明に表して外観することができる。
【００１７】
放香筒を水に浸漬される下部の水浸漬部分を平坦面にして上方の凹凸面で放香作用を行わせることにより、木の放香作用を十分に行わせると共に、木製板材の水浸漬部分の強度及び耐久性を高め清掃等も行い易くすることができる。
【発明を実施するための最良の形態】
【００１８】
以下図示する本発明の実施形態について説明する。図１は複数の木製板材（以下単に板材と言う）１を筒状に組合せてなる放香筒（放香用花器）２を、水を収容した外花瓶３内に立設した、本発明の第１実施形態に係わる放香用花器の斜視図である。図２は図１の放香筒２の平面図である。図３は図１の放香筒２の構成を示す側断面図である。図４は図１で示すような放香筒２の下端に底部材４を設け水を収容して使用する第２実施形態の放香筒２の側断面図である。図５〜図７はそれぞれ第３〜第５実施形態に係わる放香筒２を示す。また図８〜図１５は、凹凸模様を形成した木片部材１を水或いは湯水に浸けて使用する種々の応用使用形態を示す。
【００１９】
図１，図２で示す第１実施形態の放香筒２は、少なくとも片面に表面積を増大させるための凹凸を形成した複数（図示例では３枚）の略同サイズの板材１を、軸方向（縦方向）で各両側辺を互いに接合することにより平面視で３角形状となる筒体にしている。
放香筒２の長さは、該放香筒２が水を収容した皿状の外花瓶３内に浸漬状態で立設するとき、筒体が水中に浸漬される水浸漬部分の長さに対し、上方の非浸漬部分を十分な長さとし凹凸表面からの放香作用を促進できるようにしている。尚、各板材１の接合はクギ，ネジ又は接着剤或いはホゾ軸組等の任意な接合手段によって行われる。また放香筒２を分解した単体の板材１は、後述する図８で示すような使用態様にすることができる。
【００２０】
そして、上記板材１は木の繊維方向を放香筒２の軸方向と略同方向となし、放香筒２の内面又は表面側に複数の凹溝５と凸部６によって凹凸模様を形成している。
即ち、図示例の板材１は予め片面側（内面）に所定の刃厚を有する回転鋸盤によって木の繊維方向に溝切削加工を行うことにより、複数の凹溝（縦溝）５を素材の強度を確保する厚さの板底７を残すように所定の深さで形成する。この際、鋸盤による溝切削は板材１の全横幅に対し所定の溝ピッチを有して行うと、隣接する凹溝５の間に凸部５を形成し、板幅全体に均一な縦方向の凹凸模様（スリット模様）を筋条に構成するので、乾燥時の応力を分散し板割れを防止することができる。
【００２１】
以上のように構成される放香筒２は、複数の板材１を３角形状の筒状となし下側の一部を浸漬させることにより、自重によって筒体の下端面が花瓶３の底部に略均等に接触するので、浮き上がることなく水を収容した外花瓶３内に安定よく立設することができる。
この状態で放香筒２は、各板材１の繊維方向も放香筒２の軸方向と同方向にしているので、水浸漬部分から水を繊維方向に沿って効率よく吸い上げることができる。
【００２２】
また図示例のように内面に凹凸が形成される板材１は、放香筒２の内側で各凹溝５と凸部６によって表面積が増大されているため、水の吸い上げをより上方に向けて低部を濡らしながら略均一に行うことができる。これにより板材１は木の内部に水を浸透させて、内部の香成分を表面に溶出誘導し表面を濡らした状態で、香の発散及び水の蒸散等の作用（単に放香作用と言う）を板材表面から増大させ且つ持続させることができる。
従って、板材１を桧材とした場合の放香筒２は水に強い花器として使用することに併せ、桧精油の芳香を長期間にわたって発散することができ、人に爽快感や自然感を提供し、またストレスの低減或いは解消等の効果を発揮することができる。
【００２３】
また内面側に凹凸を形成し表面側を平坦面とした板材１は、年輪や繊維等からなる木目模様を放香筒２の表面側に表し外観し易いものであると共に、水の吸い上げによって内部から均質に濡らされるので、木目模様の濃淡をより鮮明に表現することができる。
これにより、放香筒２は平坦で滑らかな表面に現れる木目模様を、ハッキリと視認することができるので、放香用花器としての意匠性も同時に高めることができる。
【００２４】
また図３で示すように放香筒２は、少なくとも下部の水浸漬部分は凹凸を設けない平坦面にすることが望ましく、この場合には板材１の水浸漬部分の平坦な板厚により強度及び耐久性の向上を図ることができ、また表面に付着するゴミ類の清掃等を簡単に行うことができる。尚、水浸漬部分に対しても必要により凹凸を形成することもでき、また図３に点線で示すように板材１の表面側にも凹溝５を形成して凹凸を設けることもでき、この場合には放香筒２の外周面からの放香作用を促進することができる。
【００２５】
また放香筒２内に花類を差す場合には、放香筒２内に水を収容した内花瓶３ａを設置し、該内花瓶３ａ内に花類を活けることができる。この際に外花瓶３内の水面より高い大きさの内花瓶３ａを用いると、内花瓶３ａ内の劣化する水と外花瓶３内の水を区画することができ、板材１は常に綺麗な外花瓶３内の水を吸い上げることができ、板材１の放香作用を長期にわたり発揮させることができる。また劣化や腐食の心配のない造花や生け花用補助材（飾り物）等の装飾物を生ける場合には、内花瓶３ａを用いないで放香筒２内に直接的に差し込み保持しすることができる。この際放香筒２に差し入れた花や装飾物等は内面の凹凸によって係止保持することができ倒れを防止することができる。また凹溝５の内部に装飾物の花類や装飾物等の基部を差し込み支持することもできる。
【００２６】
さらに、放香筒２は使用に際し図２で示すように、凹溝５内に芳香剤９を埋設することができ、板材１の放香に併せ芳香剤９が有する放香を付加することができる。この芳香剤９は凹溝５の幅と長さに対応させ所定の帯状片に形成した保持部材に、例えば植物から抽出した桧オイルやハーブオイル等のエキス芳香剤、或いは合成芳香剤を含浸保持させることができる。これにより放香筒２に対する芳香剤の種類や使用量の選択及び装着等を簡単にすることができ、板材１の放香に併せ芳香剤９が有する放香を付加することができる。
また板材１は凹溝５内に着色した芳香剤９や、板材１の色に対し装飾性を有する別色の木片を意匠的な配置を以て簡単に挿入支持することができ、全体の美観に変化を持たせることができる。
【００２７】
また板材１はその天端面に放香剤を収容する収容穴８を形成すると、該収容穴８に芳香剤９や後述する液状又は粉粒状の芳香剤を、外部に露出させることなく選択自在に収容することができる。また板材１の下端面に穿設したし収容穴８には水の浄化作用を有する木炭やゼオライト等を収容することが望ましい。また放香筒２は板材１の凹凸面に対し、上記エキス芳香剤，合成芳香剤を予め又は随時的に塗布又は吹き付けることによって、必要とされる芳香剤を簡単且つ十分に付着させることができ、好みの放香作用を持続的に発揮させることができる。また芳香剤は外花瓶３内に収容した水に混入してもよく、この場合には板材１は水と共に芳香剤を吸い上げてその放香作用を発揮することができる。
【００２８】
図示例の放香筒２は、各板材１に凹凸を縦方向に形成したものを示したが、図１に点線で示すように、任意な形状の放香孔１０を連続的に形成するか又は点在させて形成したもので構成することもできる。尚、凹凸を形成した板材１に形成された放香孔１０は、草木の茎葉や他の装飾物を挿入して支持させる支持孔に兼用することができる。
また図示するように外花瓶３内には、大きさや形状の異なる複数の放香筒２を組合せて立設すると、複数の放香筒２による新たな組み合わせの意匠の提供と、放香性を増大することができる。
【００２９】
次に図４〜図７を参照し本発明の他の実施形態について説明する。尚、前記実施形態のものと同様な構成及び作用については説明を省略する。
先ず図４で示す第２実施形態の放香筒２は、前記実施形態のものと同様に複数の板材１によって構成され、その筒体の下端に底部材４を設けることにより水を収容することができる。
【００３０】
上記のように構成される放香筒２は、該放香筒２内に水を収容した状態で花類を直接的に差し入れるか、又は内部に設置した内花瓶３ａや図示しない剣山に差し込んで使用することができ、また外花瓶３を必要としない放香用花器にすることもできる。尚、この場合の放香筒２も外花瓶３内に設置し前記実施形態のものと同様に使用することができる。
【００３１】
図中符号１１は板材１の表面側或いは内面側に繊維方向と交叉する横方向で所定の深さに刻設される横凹溝である。この横凹溝１１は繊維を上下に切断するので、上方側への水の吸い上げ作用を調節規制することができる。また横凹溝１１を凹溝５とラップする深さに穿設することにより、横凹溝１１を凹溝５とをラップさせた部分に通気孔（透孔）１２を簡単に形成することができ、複数の通気孔１２によって板厚内の空気と接触する表面積をより増大することができる。
【００３２】
次に図５で示す第３実施形態について説明する。この放香筒２は凹凸を形成した４枚の板材１を略４角形状の筒体となるように組合せて構成した例を示す。そして、放香筒２の内部に凹凸を形成した仕切板１３を内挿支持させて、筒体内を複数の部屋（図示例では２部屋）を区画形している。
【００３３】
これにより放香筒２は仕切板１３によって放香能力をさらに増大し、また区画形成された各小部屋内に花類を仕分けて差し入れることができ、且つ仕切板１３を利用し花類の姿勢を整えて安定よく支持することができる。尚、仕切板１３は２枚の板材１を背中合わせとしたり、間隔を有して挿入することができる。
【００３４】
図６で示す第４実施形態の放香筒２は、凹凸を形成した任意形状の複数の板材１を組合せ曲面を有する筒体とした例を示す。この放香筒２は平面視で凹状に曲げた板材１と凸状に曲げた板材１を筒状に組合せた構成にすることにより、湾曲した大木をイメージさせる外観の意匠にすることができる。また板材１を湾曲させるとき、板材１は少なくとも片面側に複数の凹溝５を設け板底７を薄くしているので、板割れを生じさせることなく簡単に曲げることができる。尚、上記複数の板材１のうち１つの板材１ａは平面視で略Ｌ字状に製材したものに凹凸を形成している。
【００３５】
図７で示す第５実施形態の放香筒２は、凹凸を形成した平面視で半円弧状の２枚の板材１，１の両側端を突き合わせて接合することにより、略楕円形状の筒体を形成した例を示す。この放香筒２に用いる板材１は、前記第４実施形態のものと同様の平面視で凹状に曲げた板、或いは間伐材等を用い半円弧状に製材された板に凹凸加工及び筒内面の曲面切削加工を施したものを使用することができる。
【００３６】
この場合の放香筒２は、２枚の板材１，１によって筒体を簡単且つ廉価に製作することができる。また外花瓶３内に長さや太さを異ならせた複数の放香筒２を束ねた状態で設置し易いこと、及び花類を収容しない放香筒２でも意匠性を有して使用することができる等の利点がある。尚、同図で示す外花瓶３は水に強い桧板材を組合せることにより、大皿状の容器を構成して桧香を発散させるようにしている。
【００３７】
以上のように構成される各実施形態の放香筒２は、板材１の少なくとも片面に形成される凹溝５によって木の繊維が切断されるので、例えば元曲がり材や間伐材のように収縮（内部応力）の変化が大きい材料であっても、変形（板の狂い）を防止して使用を促進することができる。また放香筒２は異なる凹凸模様を形成した複数の板材１を組み合わせることができ、置物等に相応しい意匠的美観を有しながら芳香等の素材特性を周囲に確実に放出することができる。
【００３８】
さらに、放香筒２は板材１の凹溝５に芳香剤の他に活性炭や脱臭剤を簡単にセットすることができるので、自身が有する芳香拡散機能等に併せ脱臭や空気浄化等の機能を発揮させることができる。尚、この場合には放香筒２には前記放香孔１０，通気孔１２等を設けと、これらに脱臭剤等を簡単に設置することができる。
【００３９】
次に図８〜図１５を参照し、凹凸模様を形成した木片部材１を水或いは湯水に浸けて使用する別の使用態様について説明する。尚、前記実施形態のものと同様な構造、及び放香作用や効果等については説明を省略する。
先ず図８は凹溝５を形成した単体の板材１を水を収容した外花瓶３内に立設して使用する態様を示している。図示例の板材１は表側と裏側に凹凸加工を行い、板材１の両面に複数の凹溝５と凸部６による凹凸模様を形成して表面積を増大させ、外花瓶３内の水に基部側を浸漬させて前記実施形態のものと同様に放香作用を促進させる構成としている。
【００４０】
この例による板材１は、外花瓶３に生けられる花類や装飾物等の背景用意匠物として使用することができ、装飾物等と調和し木材を利用した生け花等の新規な装飾表現を提供することができる。尚、天端面の形状は点線で示すように傾斜させたり、山谷形状或いは円弧形状等を組み合わせて切削加工すると、板材１が使用される場に適応させた意匠にすることができる。また板材１には凹溝５を横方向に形成することができる。
このように板材１は大きさや形状を任意にすることができ、形状の異なる複数の板材１の組み合わせも自由に行うことができるので、大きな水槽や池或いは建物内に設置される噴水施設等にも簡単に使用することができる。また板材１の起立はそのままの載置固定が困難な場合には、下端を水底に差し込み固定する他、基部側に載置面積を拡大させる補助板材或いは木炭，竹炭，セラッミック成形物等の浄水部材を、点線で示すように付設する等の起立手段によって、水中への立設を確実にすることができる。
【００４１】
図９は板材として各種形状の木片部材１を組み合わせることによって構成した飛行機状の模型キット１５を、例えば浴槽や温泉等の湯水に浮かべて使用する例を示す。尚、木片部材１の形状及び組み合わせを変更することにより、車，動物，建物等の任意な模型キット１５を製作することができる。
【００４２】
図示例の模型キット１５は木片部材としての、胴体部１６と該胴体部１６に穿設した取付孔，切欠溝等からなる取付部１７，１７・・に、主翼片１８，尾翼片１９，立翼２０，プロペラ片２１等を着脱自在に組み付けることにより、飛行機状の模型を分解自在に構成している。また模型キット１５の胴体部１６は、太い角棒の上下面に複数の凹溝５と凸部６とからなる凹凸模様を形成している。
【００４３】
主翼片１８と尾翼片１９は、板片の一側面にのみ凹凸模様を形成し、他側面は凹凸模様を形成しない平坦面にしている。これにより板片に強度を持たせ割れを防止し、且つ平坦面に文字や図柄を表示したり、使用する子供たちが彫刻する場所として利用することができる。また立翼２０やプロペラ片２１等は必要により凹凸模様を形成しない部材にすることができる。
【００４４】
以上のように構成される模型キット１５は、風呂に浮かべて使用することができる子供用の玩具としても使用することができる。即ち、この場合には、例えば父母，祖父母等が幼児と共に入浴するとき、模型キット１５の使い方の指導や組立分解の行為を通して、保護者と子供の学習効果やコミュニケーションを図り易くすることができる。また多くの木片部材１を学習用具を兼ねて風呂に浮かべることができる等の利点がある。
【００４５】
図１１に示す木片部材１は、一側面にのみ凹凸模様を形成した板片の他側面に、凹凸模様を形成しない平坦面となした例を示す。この板材１も風呂に浮かべて使用することができると共に、積み木として利用することができ、平坦面には絵文字等の図柄を簡単に施すことができる。
即ち、この木片部材１は、大人が幼児と共に入浴するとき、図柄を下にして浮かべた板材１の図柄当てゲームや、浮かべた状態での積み木遊び等を行うことができ、幼児の学習とコミュニケーションを促進することができる。
【００４６】
図１２，図１３に示す木片部材１は、板状片の一側面に凹凸模様を形成すると共に、他側面に載置部２２を凹入形成することにより、コップや皿或いは玩具等を載置可能な盆板を構成した例を示す。この盆板１は温泉等の入浴時に湯に浮かべて使用するとき、下側に形成される複数の凹溝５によって、凹溝５を形成しない一般的な盆に比較し深く沈むことができ、また凹凸模様による水中抵抗が大きくなることによって、小さな波による揺れや水面移動を抑制し定位置に安定よく浮かべることができる等の利点がある。
【００４７】
また図１３で示す盆板１のように、載置部２２の深さを凹溝５とラップさせるように深く形成すると、凹溝５を通して載置部２２内に水を侵入させることができ、水中抵抗をより大きくすることができる。また載置部２２に載置された飲料を収容するコップ等に水温を伝達することができる。さらに凹溝５は透孔になるので、水から引き上げた際に水切りを速やかにすることができると共に、水に浮かべないで使用する一般的な盆としても、凹凸模様及び載置部２２の形状によって意匠性の高い趣のある盆にすることができる。
【００４８】
図１４に示す木片部材１は、所定の太さの柱材を長さ方向に切断することにより、浴槽内に沈めて使用するブロック状の椅子にした例を示す。この椅子１は対向する両側面に凹溝５と凸部６を形成し、且つ中途部に凹溝５を形成しない芯部２３を残して形成する。また左右端に位置する凸部６，６の厚さは、中側の凸部６より厚く形成することにより強度を確保している。
【００４９】
この構成による椅子１は、浴槽内において凹溝５内に水が入るため、水面に突出する量を少なくして浮かべることができる。従って、椅子１は浮かんだ状態でも沈み量が大きいので、入浴時の邪魔にならず香りを放ち檜湯風の気分を提供することができると共に、腰掛けにする際には浮力が小さいので、底部に速やかに沈めて使用することができる。
【００５０】
尚、この椅子１は凹凸模様が形成された上面或いは側面に腰掛けることが強度上で望ましく、腰湯健康入浴を心地よい木質感を利用し促進することができる。また浴槽から引き上げると複数の凹溝５によって水切りが速やかであると共に、乾燥したものは任意の室内で意匠性の高い芳香用の椅子或いは置物台としても使用することができる。
【００５１】
図１５に示す木片部材１は、所定の厚さを有し広巾状に形成した板材に対し、表面側に凹溝５と凸部６とからなる凹凸模様を形成し、且つ裏面側に上記凹溝５と凸部６に交差する方向から複数の横凹溝１１を粗間隔に刻設することにより、凸部６より広巾な凸部６ａを形成した強度を有する凹凸模様にしている。
【００５２】
上記凹溝５と横凹溝１１は互いにラップする深さに穿設し、凹溝がラップした部分に透孔１２を形成し表面積を増大させている。また浮力を小さくした木片部材１は浴槽に沈み量を大きくして浮かべた状態で檜風呂の雰囲気を提供し、上方から手又は足で押圧したとき各透孔１２から水を通過させるので、木片部材１を風呂の底に速やかに沈めて使用することができる風呂底用マットにすることができる。
【００５３】
また風呂底用マットとして使用しないときは、一般的な敷物の代わりに木製マットとして用いることができる他、例えば机の下の床面に敷いて用いる足マットとして好適に使用することができる。
図示例の足マット１は、凹凸模様を有する表面側の左右に足裏を指圧刺激する指圧具２５を載置し位置決めするセット穴２６を形成し、該セット穴２６に指圧具２５をセットすると、足裏指圧具としても使用することができる。
【００５４】
尚、指圧具２５は入手し易いゴルフボールであることが望ましく、この場合にセット穴２６はゴルフボール２５を足の裏で踏みつけて転がすことができる所定の深さと大きさの穴にすることができる。また足マット１の表面側の中央部爪先側（上方）には、非指圧時等にゴルフボール２５を移しかえて仮セットする予備セット穴２７を形成している。
また足マット１の端面内には凹溝方向と交差する方向にセット凹溝２８を穿設すると共に、該セット凹溝２８に木又は竹材等からなる帯状の補強片２９を挿入して接合すると、板の変形や割れを簡単に防止することができる。
【００５５】
以上のように凹凸模様付きの木片部材１は、木の内部に水を浸透させて放香作用を増大し持続させることができると共に、意匠性に優れた装飾物や道具として多様な分野に使用することができる。また節跡の多い間伐材や該間伐材を製品にした余材の利用も促進することができるので、中山間地森林産業の育成及び木工による地域活性化等も図ることができる等の利点がある。
【図面の簡単な説明】
【００５６】
【図１】本発明の第１実施形態に係わる放香用花器を示す全体斜視図である。
【図２】図１の放香筒の平面図である。
【図３】図１の放香用花器の側断面図である。
【図４】第２実施形態の放香用花器の側断面図である。
【図５】第３実施形態の放香筒の平面図である。
【図６】第４実施形態の放香筒の斜視図である。
【図７】第５実施形態の放香用花器の斜視図である。
【図８】模様付板材の別使用形態を示す斜視図である。
【図９】模様付板材のさらに別使用形態を示す斜視図である。
【図１０】図９の各板材の形状を示す側面図である。
【図１１】模様付板材のさらに別使用形態を示す斜視図である。
【図１２】模様付板材のさらに別使用形態を示す斜視図である。
【図１３】模様付板材のさらに別使用形態を示す斜視図である。
【図１４】模様付板材のさらに別使用形態を示す斜視図である。
【図１５】模様付板材のさらに別使用形態を示す斜視図である。
【符号の説明】
【００５７】
１    模様付板材（板材）
２    放香筒
３    外花瓶
３ａ  内花瓶
４    底部材
５    凹溝
６    凸部
７    板底
９    芳香剤
１０  放香孔
１１  仕切板
１２  通気孔
【図１】
2007306985.tif 000003
【図２】
2007306985.tif 000004
【図３】
2007306985.tif 000005
【図４】
2007306985.tif 000006
【図５】
2007306985.tif 000007
【図６】
2007306985.tif 000008
【図７】
2007306985.tif 000009
【図８】
2007306985.tif 000010
【図９】
2007306985.tif 000011
【図１０】
2007306985.tif 000012
【図１１】
2007306985.tif 000013
【図１２】
2007306985.tif 000014
【図１３】
2007306985.tif 000015
【図１４】
2007306985.tif 000016
【図１５】
2007306985.tif 000017